(57)【要約】【課題】防振パッドにあって、袋体内の液体が振動機器や振動工具の形状に合わせて、袋内を移動しやすくして、連続的衝撃波などの物質を伝わる物質波を液体が確実にブロックし、人体に伝えることを軽減できるようにする。【解決手段】フィルムを重ねその周縁部を圧着し液体を封入した液体封入容器を有する防振パッドにあって、前記液体封入容器は、部分的に周縁部から内側に向かってまたは島状に内面側どうしが圧着されていることを特徴とする防振パッドを提供する。【選択図】図２
2018028389.tif 000002
【特許請求の範囲】
【請求項１】
フィルムを重ね、その周縁部を圧着し、液体を封入した液体封入容器を有する防振パッドにあって、前記液体封入容器は、部分的に周縁部から内側に向かって半島状にまたは島状に内面側どうしが圧着されていることを特徴とする防振パッド。
【請求項２】
請求項１にあって、半島状部分と、島状部分と、または周縁部との間が、スリット間隔をあけて、圧着されていることを特徴とする防振パッド。
【請求項３】
請求項１または２にあって、前記液体封入容器の封入液体として、水又は水溶液を使用することを特徴とする防振パッド。
【請求項４】
請求項１、２または３にあって、前記液体封入容器の外側に、その液体封入容器の圧着部分と一体化する部分がある外装体を有することを特徴とする防振パッド。
【請求項５】
請求項１、２、３または４にあって、外表面には指が挿入できる指環を設けることを特徴とする防振パッド。
【発明の詳細な説明】
【技術分野】
【０００１】  本発明は、振動機器や振動工具の振動が、作業者の身体に伝わりにくいようにした防振パッドに関する。
【背景技術】
【０００２】  振動の多くは、連続的衝撃波などの物質を伝わる物質波によって起こる。その場合２液体は物質波の主成分であるＳ波を伝えない性質を有する。この液体の持つ物性を防振具として利用できるようにしたものに、特開２０１４−１０５３９９号公報や特開２０１５−９４４４８号公報がある。これは本出願の発明者により創出されたもので、液体を封入した袋体容器を面状に配置したもので、その面を介して振動機器や振動工具のハンドルに当てて操作するときは、液体が物質波の主成分であるＳ波を手に伝えない性質を有しているため、振動によるさまざまな人体への広範囲な影響を軽減できることになる。特開２０１５−９４４４８号公報には、熱融着した絶縁部を介して袋体容器を複数に分割させた構造が記載されている。また、特開２０１４−１０５３９９号公報には、手の形状に合わせて、袋体容器を複数に分割させていて、三次元的に柔軟性もった変形ができる形になっていることが記載されている。
【先行技術文献】
【特許文献】
【０００３】
【特許文献１】特開２０１４−１０５３９９号公報
【特許文献２】特開２０１５−９４４４８号公報
【発明の概要】
【発明が解決しようとする課題】
【０００４】  しかしながら、上記のものは、面状に配置された袋体容器内の複数の液体は、それぞれ分割独立であるため、封入量が重要となるが、振動機器や振動工具の形状に合わせて、袋体内の液体の封入量を調整することがなかなか面倒であった。【０００５】  本発明は、上記課題を解決するもので、その目的とするところは、袋体容器内の液体が振動機器や振動工具の形状に合わせて、袋内を移動しやすくして、連続的衝撃波などの物質を伝わる物質波を液体が確実にブロックし、人体に伝えることを軽減できる防振パッドを提供することにある。
【課題を解決するための手段】
【０００６】  本発明は、上記の課題を解決するために、下記の防振パッドを提供するものである。
（１）フィルムを重ね、その周縁部を圧着し、液体を封入した液体封入容器を有する防振パッドにあって、前記液体封入容器は、部分的に周縁部から内側に向かって半島状にまたは島状に内面側どうしが圧着されていることを特徴とする防振パッド。
（２）上記（１）にあって、半島状部分と、島状部分と、または周縁部との間が、スリット間隔をあけて、圧着されていることを特徴とする防振パッド。
（３）上記（１）または（２）にあって、前記液体封入容器の封入液体として、水又は水溶液を使用することを特徴とする防振パッド。
（４）上記（１）、（２）または（３）にあって、前記液体封入容器の外側に、その液体封入容器の圧着部分と一体化する部分がある外装体を有することを特徴とする防振パッド。
（５）上記（１）、（２）、（３）または（４）にあって、外表面には指が挿入できる指環を設けることを特徴とする防振パッド。
【発明の効果】
【０００７】  本発明によれば、袋体容器内の液体が振動機器や振動工具の形状に合わせて、袋内を移動しやすくして、連続的衝撃波などの物質を伝わる物質波を液体が確実にブロックし、人体に伝えることを軽減できる。
【図面の簡単な説明】
【０００８】
【図１】本発明の防振パッドの液体封入容器の概略平面図を示している。
【図２】本発明の防振パッドの別の液体封入容器の概略平面図を示している。
【図３】本発明の防振パッドの外袋付液体封入容器の概略断面図を示している。
【図４】本発明の円形状の防振パッドの外袋付液体封入容器の概略平面図を示している。
【図５】本発明の円形状の防振パッドの外袋付液体封入容器の概略断面図を示している。
【図６】本発明の円形状の防振パッドの使用例を斜視図で示している。
【図７】本発明の防振パッドの別の液体封入容器の概略平面図を示している。
【発明を実施するための形態】
【０００９】  本発明のフィルムは、液体封入容器を構成する薄肉素材で、材質としては、少なくとも片面が、塩化ビニール、ポリカーボネート、アクリロニトリルブタジエンスチレン樹脂、ナイロン、ポリプロピレン、ポリエチレン、ポリアセタール、ポリエステル、ポリウレタンなどの熱可塑性樹脂等が利用できる。延伸や高密度化するとフィルム強度を向上することができる。厚さは、３０μｍ程度から３ｍｍ程度のものが使用できる。３０μｍ以下だと強度が不足し、３ｍｍ以上だと柔軟性が減退しやすく振動機器や振動工具にフィットしにくい。
【００１０】  本発明の液体封入容器は、フィルムを重ね、または折り重ね、その周縁部等を圧着した容器で、内部に流し込んだ液体を封かんすることができる。
【００１１】  本発明のスリットは、液体封入容器に設けるもので、張出圧着部と対岸の周縁圧着部分との間の圧着されないすき間、または島状圧着部分の間、または島状圧着部分と対岸の周縁圧着部との間の圧着されていないすき間で、分割された液体封入容器の液体が、スリットを通し一方から他方へ、少しずつ移動できるようにさせるものである。スリット間隔は、液体封入容器が手より小さいものでは０．５ｍｍから５ｍｍ程度で、手より大きいものでは２ｍｍから１０ｍｍ程度で、一般的には、全体の大きさに比例して広くなる。
こうすることにより、振動機器や振動工具の形状に合わせて、液体封入容器の必要な部分に必要なだけ、液体封入容器内の液体の封入量を調整することができ、イレギュラーな力により、液体封入容器内の液体量の分布が、急に変化することを防止して、安定的な防振効果を得ることができる。
【００１２】  本発明の液体は、液体封入容器内に入れる流動体で、取り扱いが容易点では水が使用できる。寒冷地の場合、凍結しない程度の濃度の食塩、塩化カルシウムなどの無機塩、または砂糖、ブドウ糖などの水溶性有機物の水溶液が利用できる。凝固点降下度は、溶質の種類にかかわらず、溶質の質量モル濃度に比例するので、無機塩の方が分子量が小さい場合が多く、少量で、凍結しにくくなる。
【００１３】  本発明の外装体は、液体封入容器の外側に設けるもので、液体封入容器を保護したり液体の液漏れを留めたりする。液体封入容器との間に空気層があると、防振性能が得にくいので、その点で通気性があったほうが好ましい。動力を有する機械の防振具として使用する為、外表面が滑りにくい材質たとえばウレタンやゴムを使用したり、蒸れない形状たとえば凹凸構造であったりすることが好ましい。また、表面にウレタンやゴムの複数ドット状に加工したり、印刷したりしてもよい。
【００１４】  本発明の指環は、液体封入容器または外装体の表面に設ける環状のもので、手の指を挿入するためのものである。液体封入容器に設置する場合は、圧着や接着で固定し、外装体に設置する場合は、そのほか縫い付けることもできる。
【００１５】  以下、本発明の実施の形態を図面に基づいて説明する。
【００１６】  図１は、本発明の防振パッドの液体封入容器の概略平面図を示している。また、図２は、本発明の防振パッドの別の液体封入容器の概略平面図を示している。
フィルム１を重ね、その周縁部を圧着した周縁圧着部２により、液体３を封入していて、図１では、部分的に周縁圧着部２から内側に向かって、液体封入容器４のフィルム１の内面側どうしが圧着されている張出圧着部５を有していて、図２では、液体封入容器４内側に、間隔を置いて圧着された島状圧着部分６を有している。
【００１７】  液体封入容器４の外形や張出圧着部５の形状は、振動機器や振動工具の形状と、それと接する人体部分の形状に合わせて適宜設計される。図１または図２では、外形平面図が長方形になっているが、正方形であっても、多角形であっても、円形であってもよい。また、平面形状、球面形状、柱状形状など特に立体形状においても限定されない。張出圧着部５や島状圧着部分６の周辺は、液体３が少ないため、液体封入容器４が、折り曲げなどの変形しやすい部分となっている。
【００１８】  図３は、外装体を追加した形で、図２に示す本発明の防振パッドのＡ−Ａ部分の概略断面図を示している。
外装体７は、液体封入容器４の表面を覆うように設けている。
液体封入容器４は、その中央部分に、圧着された島状圧着部分６と、その周辺部分では、外装体７と一体化した周縁圧着部２とがある。周縁圧着部２には、周縁テープ８で断面Ｕ字状に端面を覆って縫着しているが、他の方法で補強してもよい。
【００１９】  図４から図６は、本発明の防振パッドが、円形状の場合を示している。
図４は、本発明の円形状の防振パッドの液体封入容器の概略平面図を示している。また、図５は、外装体を追加した形で、図４に示す本発明の防振パッドのＢ−Ｂ部分の概略断面図を示している。また、図６は、その円形状の防振パッドの使用例を斜視図で示している。
【００２０】  図４の液体封入容器４は、フィルム１を重ね、その周縁部を圧着した周縁圧着部２により、液体３を封入していて、島状圧着部分６は、間隔を置いて設け、特に中央部分６ａは、比較的長太く液体封入容器４を半円に分けるように設けている。これは、図６で示すように、手の親指とその他の指とで防振パッド９をはさむようにして使用した場合に、防振パッド９の中央部分を折り曲げやすくしている。また，親指以外の四本の関節の曲がる部分にも、ちょうど島状圧着部分６がきており、都合よくＵ字型に曲がって掴み易く出来るようになっている。
【００２１】また、図６で示すように、円形状の防振パッド９の外側面に、指が挿入できる指環１０を設けることにより、振動機器や振動工具を安定してつかむことができる。
この円形状の防振パッド９は、指先方向が丸く狭まっているので、円筒状のシャフトや取っ手を円形状の防振パッド９で握った時、握った手の人差し指１１が、防振パッド９からはみ出しやすい。そのため、人差し指１１を指環１０からはずして自由にすることにより、スイッチやアクセル操作が楽に出来るようになる。
【００２２】  また、図５の概略断面図で示したように、外装体７は、図３のものよりも、フィルム１とかさなっている。このため、より防振性能が向上する。
このタイプのパッドは、ペンシル握り型の電動砥石工具も含めハンデイタイプの小型の動力使用の道具の防振に利用できる。
既に少し触れているが、ハンデイタイプの道具は持ち手部が円筒形で、しかもスイッチやアクセルが人差し指を使用する構造の物が多い。この構造で使用するパッドの場合には、円形状で持ち手を掴むと自然に人差し指が自由になり、アクセルを操作するにも便利。
機械操作において、右手人差し指を使用しない構造のものの場合には、長方形のパッドが使いやすい。
【００２３】  図７は、本発明の防振パッドの別の液体封入容器の概略平面図を示している。
フィルム１を重ね、その周縁部を圧着した周縁圧着部２により、液体３を封入していて、図７の左側では、部分的に周縁圧着部２から内側に向かって、液体封入容器４のフィルム１の内面側どうしが圧着されている張出圧着部５を有していて、そして、張出圧着部５と対岸の周縁圧着部２の間隔は、スリット１２となっている。また、図７の右側では、液体封入容器４内側に、間隔を置いて圧着された島状圧着部分６を有している。そして、島状圧着部分６間と、島状圧着部分６と対岸の周縁圧着部２の間隔は、スリット１２となっている。
別の言い方をすれば、図７の液体封入容器は３つに分割されていて、分割された隣どうしは、スリット１２を介して液体が移動できるようにしている。
【産業上の利用可能性】
【００２４】  本発明は、振動機器や振動工具の振動が、作業者の身体に伝わりにくいようにした防振パッドに関するもので、震動機械（メタルソー、電動式削岩機、切断砥石機械その他）の操作を行う作業者の安全、安心が保証される有用なものである。手の部分に使用するだけでなく、足部の防振、あるいは肩、背中など身体の一部などにも使用出来る。足部は、履物に一体化したり中敷きにしたりし。、船自体のエンジン振動、バスやトラックなどの車であればアクセルやクラッチ、ブレーキ部の振動などに対して使用出来る。また、自転車のサドル部の防振具等にも使用でき、広く産業上の利用可能性は高いものである。
【符号の説明】
【００２５】  １…フィルム、２…周縁圧着部、３…液体、４…液体封入容器、５…張出圧着部、６…島状圧着部分、６ａ…中央部分、７…外装体、８…周縁テープ、９…防振パッド、１０…指環、１１…人差し指、１２…スリット
【図１】
2018028389.tif 000003
【図２】
2018028389.tif 000004
【図３】
2018028389.tif 000005
【図４】
2018028389.tif 000006
【図５】
2018028389.tif 000007
【図６】
2018028389.tif 000008
【図７】
2018028389.tif 000009